(57)【要約】【課題】従来、パソコン操作、製図など汚れを嫌う事務作業をする際、揚げ菓子や砂糖菓子などの菓子類を指や手で再三とることがある。その場合、指や手が汚れ、その度に、ティッシュ、おしぼりなどで拭わなければならない。これらは、片手操作で出来ず、作業を中断することになる。【解決手段】直接、手や指がよごれたものに触れないように、少なくとも指先の第一関節の腹が覆われるようにした袋状、指型状、円筒状、半円筒状、手袋状、スプーン状、或いは、平面状およびこれらの変形型の保護カバー部とその保護カバーに繋がった手のひらに収まる持ち手部からなる考案品で、持ち手部を薬指や小指で握ることにより保護カバー部を固定することが出来、片手で、容易に、手や指を汚さないで、ものを取ることができ、作業を中断することなく行うことが出来る。【選択図】図１
2009024281.tif 000002
【特許請求の範囲】
【請求項１】
手や指が直接よごれたものに触れないように、少なくとも手の指先の第一関節の腹が覆われるようにした袋状、指型状、円筒状、半円筒状、手袋状、スプーン状、平面状およびこれらの変形形状のうちのいずれかから選ばれた保護カバー部とその保護カバーに繋がった手のひらに収まる持ち手部からなることを特徴とする指の保護カバー。
【請求項２】
保護カバー部は、持ち手部から取り外すことができ、取り付ける位置により保護カバーの長さを調節することができる構造からなることを特徴とする請求項１記載の指の保護カバー。
【請求項３】
持ち手部は、中指、薬指および小指のうちの少なくともいずれか１指で握ることができ、手のひらに収まる大きさで、円柱状、円筒状、円錐状、球状、角柱状、角筒状、角錐状の構造およびこれらの変形形状のうちのいずれかから選ばれた構造からなり、そのまま、立てて置くこと、台座に置くことおよび吊るすことのいずれかができることを特徴とする請求項１記載の指の保護カバー。
【請求項４】
保護カバーおよび持ち手部のうちの少なくともどちらか一方には、台座や吊るす棚などとの接触部に、磁石、脱着テープ、凹凸構造、ボタン、フックのうちのいずれかよりなる留め具が設けられていることを特徴とする請求項１記載の指の保護カバー。
【発明の詳細な説明】
【技術分野】
【０００１】
この発明は、直接、手や指がよごれたものに触れないように、少なくとも指先の第一関節の腹が覆われるようにした袋状、指型状、円筒状、半円筒状、手袋状、スプーン状、或いは、平面状およびこれらの変形型の保護カバー部とその保護カバーに繋がった手のひらに収まる持ち手部からなることを特徴とする指の保護カバーに関する。
【背景技術】
【０００２】
従来、パソコン操作、伝票処理、執筆、製図など汚れを嫌う事務作業をする際、油やインク、クレヨン、墨などの汚れが付きやすいものや揚げ菓子や砂糖菓子、チョコレートなどの菓子類を指や手で再三とることがある。その際、片手は、作業をしながら、他方の手で、汚れたものをとることが多い。通常は、その場合、直接、ものをとることになり、指や手が汚れ、その度に、ティッシュやおしぼりなどで拭く。特に昨今、汚れを非常に嫌うパソコン入力操作を行う機会が、一般事務だけでなく、製造現場や屋外で使用することが多くなっている。
【０００３】
また、ファーストフードのフライドポテトやフライドチキンなどをテイクアウトして、車中で食するとき、その後のドライブで、車のハンドルを握ることを考えると、直に触りたくないものである。さらに、女性がマニキュアをしている場合、逆に、食品に臭いや色が付くのではないかと気になるものである。このように、いろんな場面で、片方の手だけで容易に脱着出来る指の保護カバーが要望されるようになってきている。
【０００４】
先行技術として、たとえば、特許文献１のお勝手に手袋では、手袋の指部分が三本指の手袋になっており、脱着に工夫はある。また、特許文献２の臭い移り防止指カバーは、人差し指カバーと親指カバーだけをつなげ、より簡素化して、脱着に工夫している。しかし、いずれも、片手は、作業をしながら、他方の手で、容易に脱着することはできない。
同じように、特許文献３の使い捨て指カバーも、脱着はかなり容易になっているが、片手は、作業をしながら、他方の手で脱着することは、やはり、困難である。
他方、台座に関係する先行技術として、たとえば、特許文献４手袋支持具があるが、５本の指挿入部分が下方に垂れることなく、支持するとあり、脱着を容易にするために考案されたものではない。
【特許文献１】実開平８−１０４５９号公報
【特許文献２】特開２００５−２３２６５８号公報
【特許文献３】特開２００７−９００１５号公報
【特許文献４】登録実用新案第３００６３４５号
【０００５】
以上の先行技術は、パソコン操作、伝票処理、執筆、製図など一般事務の作業をする際や、さらに、製造現場や屋外でパソコン入力操作を行う際など、片手は、作業をしながら、他方の手で、容易に保護カバーを脱着することができるようにすることを目的として考案された技術ではないと思われる。
【発明の開示】
【発明が解決しようとする課題】
【０００６】
そうした中、片手は、作業をしながら、他方の手で、容易に保護カバーを脱着することができるようにすることを目的とした保護カバーが、一般事務や製造現場や屋外でパソコン入力操作を行う職場で望まれている。また、ファーストフードの揚げ物を食する場合でも、要望されている。これまで、このような要望に応える製品はなかった。
【課題を解決するための手段】
【０００７】
以上の課題を解決するために、この発明は、手や指が直接よごれたものに触れないように、指の保護カバーとその持ち手部からなり、手や指を汚さないでものを取る方法を提供するものである。
【０００８】
本発明者は先に特願２００７−１６１４０９号を出願しており、その内容は、指カバーを片手で操作できるように台座で指カバーを固定することによって、指カバーから指の脱着をスムーズにするものである。本出願は、さらに検討と改良を加え、簡便にその操作を行えるようにしたものである。
【０００９】
指の保護カバーは、片手で簡単に装着や外すことができるようにしたもので、広くは、親指全体（第三関節）、人さし指、中指、薬指がつながった部分を覆う範囲、つまり、手の保護カバーに相当する大きさから、人さし指あるいは中指と親指がそれぞれの指先の第一関節が入るようにした部分を覆う、つまり、指の保護カバーに相当する範囲まで、一体化されたものを言う。いずれも、保護カバーは、すくなくとも指先の第一関節の腹が覆われるような構造になっているが、その他の部分、たとえば、指先の第一関節の背の部分や手の甲その他の部分は、構造的に保持できるならば、必ずしも、保護カバーで覆う必要はない。
【００１０】
保護カバーの形状は、袋状、指型状、円筒状、半円筒状、手袋状、スプーン状、或いは、平面状およびこれらの変形型になっており、直接、手や指がよごれたものに触れないようになっておれば、それらの一部でもよく、形状にこだわらない。保護カバーの指先の第一関節が入る部分以外は、全体を一体化するために保持できておれば、どのような形状でもよい。長さは、それぞれの指が入る程度で、６ｃｍから１０ｃｍで、幅は、指の太さ程度で１．５ｃｍから３ｃｍ、厚みは、形状が維持できる程度で、０．０３ｍｍから５ｍｍ程度がよく、指先に行くほど薄くなることが好ましい。しがし、この範囲に限定するものではない。いろんな指や手の長さ、太さに適応できる形状としては、指の背側が開いた半円筒状が好ましい。ここで言う変形型とは、形状の一部を用いたり、曲線や勾配、表面の凹凸、切抜きなど変化を持たせたものを言う。
【００１１】
こうして作られた指の保護カバーは、その形状を保持できる紙、布、ゴム製、ビニール製やゴム弾性のあるプラスチック製などから選ばれる。しっかりと装着し、物をつかむ時に、簡単に抜け落ちない素材としては、シリコーン樹脂やポリウレタン樹脂、熱可塑性エラストマーなどが好ましい。また、油で揚げたものをつかむ場合、やけどをしないように断熱効果のある材料を使用する、或いは、厚みのある材料を使用する。使用後、安価な材料の場合は、使い捨てることもある。好ましくは、保護カバーに付いた汚れ、油などを水や湯などで洗うことができ、その形状を保持し、何度も使用できる素材であれば、上述の素材に限られることはない。ただし、食品包装に用いられる安全衛生に配慮した素材であることは言うまでもない。
【００１２】
前述の特願２００７−１６１４０９号では、指の保護カバーからの指の装着、脱離は、磁石、脱着テープや凹凸の留め具で固定して行うが、台座の構造や重さなどの理由で、装着、脱離がうまく行かないこともあった。今回、持ち手部を自分の他の指でしっかり固定することにより、保護カバーと指の装着、脱離が、台座に依存することなく、スムーズに行うことができるようにした。もちろん、指の保護カバーからの指の装着、脱離を、磁石、脱着テープ、凹凸構造やボタンの留め具で、固定して行う方法との併用も可能である。
【００１３】
他方、保護カバーに繋がった手のひらに収まる持ち手部は、保護カバーと一体化した構造か、取り外すことができる構造で、形状は、円柱状、円筒状、円錐状、球状、角柱状、角筒状、角錐状の構造およびこれらの変形型からなり、そのまま、立てて置くこと、台座に置くことや吊るすことができる構造になっておれば、どのような形状でもよい。持ち手が中指や薬指、小指の少なくともいずれか１指で握ることができれば、よく、手のひらに収まる大きさで、たとえば、円筒状では、長さ３ｃｍから１０ｃｍ、直径１ｃｍから４ｃｍが好ましい。ここで言う変形型とは、上述と同様に、形状の一部を用いたり、曲線や勾配、表面の凹凸、切抜きなど変化を持たせたものを言う。
【００１４】
持ち手部の材質は、保護カバーとの一体化成型での材質でも、取り外すことができる構造では、異なってもよい。紙、布、ゴム製、ビニール製、厚紙、段ボール、布、木材、プラスチック、ガラス、鉄、アルミなどの金属、陶磁器、石などが挙げられ、それら素材から成る複合体であっても構わない。好ましくは、衛生面から、水や湯などで洗うことができ、その形状を保持できる素材であれば、上述の素材に限られることはない。
【００１５】
取り外すことができる構造では、持ち手部の保護カバーを取り付ける位置を前後に変えることにより、指の長さに適した保護カバーの長さに調節することができる。また、取り外すことにより保護カバーだけを洗浄、又は、交換することができるようになっている。取り付ける構造は、ねじ止め、差し込み、クリップ留めなど通常用いられる方法であれば、以上のものに限るものではない。
【００１６】
さらに、使用しない場合は、そのまま、立てて置くこと、台座に置くこと、吊るすことができる構造になっている。台座に置く場合や吊るす場合、保護カバーおよび持ち手部、あるいはどちらか一方には、台座との接触部に、磁石、脱着テープ、凹凸構造、ボタン、フックなどの留め具がある構造になっており、指カバーから指の脱着や台座からの脱着が確実にできることや便利になる。
【発明の効果】
【００１７】
以上の説明から明らかのように、直接、手や指がよごれたものに触れないように、少なくとも指先の第一関節の腹が覆われるようにした袋状、指型状、円筒状、半円筒状、手袋状、スプーン状、或いは、平面状およびこれらの変形型の保護カバー部とその保護カバーに繋がった手のひらに収まる持ち手部からなる発明品で、片手で、容易に、手や指を汚さないで、ものを取ることができる。
【発明を実施するための最良の形態】
【００１８】
以下、この発明の実施形態を、図１から図９で、例を挙げて詳細に説明する。図１は、指２本が左右に分かれ、つながった保護カバー部（１）と持ち手部（２）が一体化したものの立体図である。たとえば、親指（３）と人差し指（４）が保護カバー部（１）の先にそれぞれ、差し込むようになっており、その指先の第一関節の腹（５）が保護カバーで覆われるようになっている。持ち手部（２）は、手のひらに収まり、他の指で握るようになっており、保護カバーがずれない様に固定する役目を担っている。この場合は、中指（６）、薬指（７）と小指（８）で持ち手部を握ることになる。図２は、人差し指と親指を保護カバー（１）に挿入し、持ち手部（２）を他の指で握ったところの図である。
【００１９】
次いで、図３は、指２本が左右に分かれ、つながった保護カバー部（１）と持ち手部（２）が、取り外すことができる構造になったものの立体図である。持ち手部（２）には、保護カバー（１）が差し込めるような前溝（９）、中溝（１０）、後溝（１１）があり、それら溝に差し込む位置により、保護カバーの長さを調節することができるようになっている。こうして、使用者の指の長さにより位置を選択することができる。
【００２０】
図４は、持ち手部の底は丸くなっており、台座(１４)に置くようになっている立体図である。台座の底には、磁石（１２）があり、持ち手部の金属部（１３）と、しっかりと固定することができるようになっている。また、指カバー部の形状は、袋状になっている例を示す。図５は、吊るすタイプで、指カバー上部に留具（１５）がついており、棚などに掛けることが出来る立体図である。
【００２１】
図６は、指の保護カバーが親指全体（３）、人差し指（４）、中指(６)がつながった部分を覆う範囲の大きさの立体図である。図１と比べると、人差し指（４）、中指(６)が入るため、幅が広くなっている。この場合は、薬指(７)と小指（８）で持ち手部を握ることになる。フライドチキンや揚げパンなどの比較的大きくて重いものをつかむ場合に使用するとよい。図７は、親指（３）と人差し指（４）、中指(６)を図６の保護カバーに挿入し、持ち手部（２）を他の指で握ったところの図である。
【００２２】
図８は、指の保護カバー（１）の内側に、それぞれ、金属板（１６）を取り付け、台座(１４)の、その接触部にそれぞれ、磁石（１２）を付けることによって、台座(１４)からの脱着を確実に行うようにした立体図である。黒塗り枠は見えている部分で、白線枠は、裏側にあり、見えていない部分を示している。
【００２３】
図９は、紙で作製した簡易型の展開図で、安価に簡便に使用することが出来る例を示す。実線に従って切り抜き、持ち手（２）部分を円筒状に丸め、持ち手ののりしろ部分（１７）を差し込む部分（１８）の内側にあわせ、差し込む部分（１８）を差し込む穴（１９）に通す。親指、人差し指をそれぞれ指カバーにあてがうことで完成する。指カバー部の先の破線丸印を、手で押さえて、スプーン状に窪みを作ることも一法である。
【図面の簡単な説明】
【００２４】
【図１】二本指保護カバー部と持ち手部の立体図
【図２】二本指保護カバー部と持ち手部の立体図（指装着）
【図３】保護カバー部と持ち手部が、取り外すことができる構造になったものの立体図
【図４】台座に置くタイプの立体図
【図５】吊るすタイプの立体図
【図６】三本指保護カバー部とその保護カバーに繋がった持ち手部の立体図
【図７】三本指保護カバー部とその保護カバーに繋がった持ち手部の立体図（指装着）
【図８】台座と磁石で固定された保護カバー部と持ち手部の立体図
【図９】図１の簡易型展開図
【符号の説明】
【００２５】
１．指保護カバー部
２．持ち手部
３．親指
４．人差し指
５．指先の第一関節の腹
６．中指
７．薬指
８．小指
９．前溝
１０.中溝
１１．後溝
１２．磁石
１３．持ち手の金属部
１４．台座
１５．指カバー上部の留具
１６．金属板
１７．持ち手ののりしろ部分
１８．差し込む部分
１９．差し込む穴
【図１】
2009024281.tif 000003
【図２】
2009024281.tif 000004
【図３】
2009024281.tif 000005
【図４】
2009024281.tif 000006
【図５】
2009024281.tif 000007
【図６】
2009024281.tif 000008
【図７】
2009024281.tif 000009
【図８】
2009024281.tif 000010
【図９】
2009024281.tif 000011